(57)【要約】【課題】外光にのみ頼らず、より精度の高い画質補正を行うことができる携帯端末装置及び画質補正方法を提供する。【解決手段】従来の外光画質補正と異なり、携帯端末装置１が自己発光する部分（液晶周りの額縁、キーパッド、付属の充電装置等）に関しての色情報、輝度情報を携帯端末装置１側でデータ管理しておき、外光センサ２で検出した環境光と組み合わせて画質補正を行うことで、より精度の高い画質補正が可能となる。画質補正を行う際は、液晶領域を携帯形状（キーパッドデザイン、液晶とキーパッドの傾き角度）の映り込みを予め内部で情報管理を行い、それに応じた表示領域に対して画質補正を行うことで個々の液晶領域に対して緻密な画質補正が可能となる。また映り込み情報に対して視覚障害者の障害状況（視力障害、視野障害、色覚障害の要素）を加えることで、視覚障害者に特化した適切な画質補正を行うことも可能とする。【選択図】図１
2010004462.tif 000002
【特許請求の範囲】
【請求項１】
画像を表示する表示手段と、
光を出射する発光手段と、
筐体形状の変化を検出する検出手段と、
前記発光手段が発光する色、または輝度のいずれか一つを示す自己発光情報と、前記検出手段の検出結果である形状情報とに基づいて、前記表示手段に表示する画像を補正する表示制御手段とを備えた携帯端末装置。
【請求項２】
前記表示手段への外光に関する外光情報を取得する外光情報取得手段を更に備え、
前記表示制御手段は、前記自己発光情報および前記形状情報とからなる映り込み情報と、前記外光情報取得手段で取得した外光情報とに基づいて、前記表示手段に表示する画像を補正することを特徴とする請求項１記載の携帯端末装置。
【請求項３】
前記映り込み情報に対応した画質補正情報を複数蓄積した蓄積手段を更に備え、
前記表示制御手段は、前記蓄積手段に蓄積された前記画質補正情報に基づいて、前記表示手段に表示する画像を補正することを特徴とする請求項２記載の携帯端末装置。
【請求項４】
前記蓄積手段は、前記映り込み情報とユーザの色覚に関する色覚情報とに対応した画質補正情報を複数蓄積しており、
前記表示制御手段は、前記蓄積手段に蓄積された前記画質補正情報に基づいて、前記表示手段に表示する画像を補正することを特徴とする請求項３記載の携帯端末装置。
【請求項５】
前記自己発光情報は、前記発光手段の位置または点灯／消灯パターンを更に含むことを特徴とする請求項１乃至請求項４のいずれかに記載の携帯端末装置。
【請求項６】
前記形状情報は、折り畳み開閉時の傾き角度であることを特徴とする請求項１乃至請求項４のいずれかに記載の携帯端末装置。
【請求項７】
前記外光情報は、直接光及び反射光である外光の照度、明度または色情報を含む請求項１乃至請求項６のいずれかに記載の携帯端末装置。
【請求項８】
画像を表示する表示ステップと、
光を出射する発光ステップと、
筐体形状の変化を検出する検出ステップと、
前記発光ステップにおいて発光する色、または輝度のいずれか一つを示す自己発光情報と、前記検出ステップの検出結果である形状情報とに基づいて、前記表示ステップで表示する画像を補正する表示制御ステップとを備えた画像補正方法。
【発明の詳細な説明】
【技術分野】
【０００１】
本発明は、携帯電話機、ＰＨＳ（Personal Handy-phone System）、ＰＤＡ（Personal Digital Assistance、携帯情報端末機）、ノートパソコン、携帯ゲーム機器などの携帯端末装置に関し、特に、操作ボタンのバックライト等の自己発光手段を備えた携帯端末装置に関する。
【背景技術】
【０００２】
従来、携帯電話機に代表される携帯端末装置には、画像などを表示するための表示部が外光から受ける影響を考慮して、外光センサで外光を検出して画質補正を行う機能を備えたものがある。
【０００３】
特許文献１に記載の表示装置では、ディスプレイ画面上で自動車のウインカの光が映りこむ領域を設定し、撮像素子によって撮像された画像中において、設定した領域内のゲイン調整を行い、輝度を下げるようにしている。また、特許文献２に記載の表示装置では、照度センサの出力に基づいて光源の出射光量を制御するとともに、映像信号の平均的明るさを示す信号から映像光反射成分を求めて光源の出射光量を補正するようにしている。また、特許文献３に記載の液晶表示装置では、ユーザの体質や体調あるいは使用環境に応じて、表示画面の輝度を赤、緑、及び青毎に個別に調整して最適な視認性を得るようにしている。
【０００４】
【特許文献１】特開２００５−０３３７０９号公報
【特許文献２】特開２００５−３３８５１１号公報
【特許文献３】特開２００５−３２６７９０号公報
【発明の開示】
【発明が解決しようとする課題】
【０００５】
しかしながら、上述した従来技術においては、外光をセンサで収集することによって画質補正を行っているが、センサに頼っているため、携帯端末装置の形状やユーザを意識した上での緻密な補正はできておらず、必ずしもユーザに適切な画像の提示ができていなかった。これらは明るい室内で健常者が想定される通常の用途で使用している場合はそれほど問題にならないが、暗い空間における画面操作や、視覚障害者のユーザにとっては、適切な画質補正を行うことができなかった。そのため、ユーザは携帯端末装置の周辺環境を変更する（例えば明るいところへ移動する）か、もしくは不自由な制限された閲覧環境として許容しなくてはならない問題が生ずる。
【０００６】
本発明は、かかる事情に鑑みてなされたものであり、外光にのみ頼らず、より精度の高い画質補正を行うことができる携帯端末装置及び画質補正方法を提供することを目的とする。
【課題を解決するための手段】
【０００７】
本発明の携帯端末装置は、画像を表示する表示手段と、光を出射する発光手段と、筐体形状の変化を検出する検出手段と、前記発光手段が発光する色、または輝度のいずれか一つを示す自己発光情報と、前記検出手段の検出結果である形状情報とに基づいて、前記表示手段に表示する画像を補正する表示制御手段とを備えた。
【０００８】
この構成によれば、従来の外光のみ用いた画質補正と異なり、自己発光情報と形状情報を用いて画質補正を行うので、より精度の高い画質補正を行うことが可能となる。
【０００９】
また、上記構成において、前記表示手段への外光に関する外光情報を取得する外光情報取得手段を更に備え、前記表示制御手段は、前記自己発光情報および前記形状情報とからなる映り込み情報と、前記外光情報取得手段で取得した外光情報とに基づいて、前記表示手段に表示する画像を補正する。
【００１０】
この構成によれば、自己発光情報および形状情報とからなる映り込み情報と、外光情報とを補正情報として用いるので、更に精度の高い画質補正を行うことが可能となる。
【００１１】
また、上記構成において、前記映り込み情報に対応した画質補正情報を複数蓄積した蓄積手段を更に備え、前記表示制御手段は、前記蓄積手段に蓄積された前記画質補正情報に基づいて、前記表示手段に表示する画像を補正する。
【００１２】
この構成によれば、蓄積手段に蓄積された画質補正情報に基づいて画質補正を行うので、画質補正処理の高速化が図れる。
【００１３】
また、上記構成において、前記蓄積手段は、前記映り込み情報とユーザの色覚に関する色覚情報とに対応した画質補正情報を複数蓄積しており、前記表示制御手段は、前記蓄積手段に蓄積された前記画質補正情報に基づいて、前記表示手段に表示する画像を補正する。
【００１４】
この構成によれば、映り込み情報とユーザの色覚に関する色覚情報とに対応した画質補正情報を複数蓄積しており、この蓄積された画質補正情報に基づいて画質補正を行うので、視覚障害者に特化した適切な画質補正を行うことが可能となる。
【００１５】
また、上記構成において、前記自己発光情報は、発光手段の位置または点灯／消灯パターンを更に含む。
【００１６】
この構成によれば、自己発光情報は、発光手段の位置または点灯／消灯パターンを更に含んでいるので、装置ごとに具備する発光仕様に特化したより精度の高い画質補正を行うことが可能となる。
【００１７】
また、上記構成において、前記形状情報は、折り畳み開閉時の傾き角度である。
【００１８】
この構成によれば、形状情報は、折り畳み開閉時の傾き角度であるので、傾き角度に応じた装置の形状変化ごとに特化したより精度の高い画質補正を行うことが可能となる。
【００１９】
また、上記構成において、前記外光情報は、直接光及び反射光である外光の照度、明度または色情報を含む。
【００２０】
この構成によれば、外光情報は、直接光及び反射光である外光の照度、明度または色情報を含むので、より精度の高い画質補正を行うことが可能となる。
【００２１】
本発明の画質補正方法は、画像を表示する表示ステップと、光を出射する発光ステップと、筐体形状の変化を検出する検出ステップと、前記発光ステップにおいて発光する色、または輝度のいずれか一つを示す自己発光情報と、前記検出ステップの検出結果である形状情報とに基づいて、前記表示ステップで表示する画像を補正する表示制御ステップとを備えた。
【００２２】
この方法によれば、従来の外光のみ用いた画質補正と異なり、自己発光情報と形状情報を用いて画質補正を行うので、より精度の高い画質補正を行うことが可能となる。
【発明の効果】
【００２３】
本発明によれば、自己発光情報と形状情報を用いて画質補正を行うので、より精度の高い画質補正が可能となる。
【発明を実施するための最良の形態】
【００２４】
以下、本発明を実施するための好適な実施の形態について、図面を参照して詳細に説明する。
【００２５】
図１は、本発明の一実施の形態に係る携帯端末装置１の概略構成を示すブロック図である。図１において、本実施の形態の携帯端末装置１は、携帯電話機、ＰＨＳ、ＰＤＡ、ノートパソコン、携帯ゲーム機器などの携帯端末装置であり、外光センサ２と、外光センサ制御部３と、外光情報処理部４と、操作部５と、マイク６と、カメラ７と、色覚障害情報処理部８と、映り込み情報処理部９と、端末内部情報蓄積部１０と、画質補正情報処理部１１と、映り込みパターン情報蓄積部１２と、表示制御部１３と、表示部１４とを備える。
【００２６】
外光センサ２は、フォトトランジスタ、ＣＤＳ等の光検出素子を備え、携帯端末装置１が受ける環境光を検出する。外光センサ制御部３は、外光センサ２を介して、周辺環境から携帯端末装置１の表示部１４の液晶画面に映り込む外光に関する外光情報を取得する。取得した外光情報には、液晶が受ける直接光、反射光などから検出した外光の照度、明度、色情報などを含む。外光情報処理部４は、一定間隔で外光センサ制御部３が取得した外光情報から解析を行い、画質補正に有効な外光情報を保存する。
【００２７】
操作部５は、数字キー、文字キー、ファンクションキーなどの各種キーもしくは接続した外部インタフェースによって構成され、ユーザが操作することで、機能選択や文字入力などを行うことができる。マイク６は、音声入力を行うときに入力される音声を電気信号に変換する。変換された音声信号は、色覚障害情報処理部８で解析されてデジタルデータ化される。カメラ７は、映像入力を行うときに入力される映像を電気信号に変換する。変換された映像信号は、色覚障害情報処理部８で解析されてデジタルデータ化される。
【００２８】
色覚障害情報処理部８は、操作部５、マイク６、カメラ７から、携帯端末装置１のユーザにより入力される色覚に関する情報から解析を行い、画質補正に有効な色覚障害情報を得る。なお、色覚障害情報処理部８は、様々な症状の色覚障害に係る色覚障害情報を蓄積する色覚障害情報蓄積機能を備えて、ユーザにより入力された色覚に関する情報に該当又は類似する色覚障害情報があれば、該色覚障害情報を用いるようにしてもよい。
【００２９】
映り込み情報処理部９は、端末内部情報蓄積部１０から携帯端末装置１の端末形状情報、自己発光情報の取得を行う。端末形状情報としては、筐体の形、液晶画面サイズ、キーパッドの形、キーパッドのデザイン（文字、数字の形、位置も含む）、折り畳み開閉時の傾き角度などが含まれる。自己発光情報としては、発光部位の場所、点灯／消灯パターン、色情報、輝度情報などが含まれる。
【００３０】
図２は、端末内部情報蓄積部１０が保存している端末内部情報の一例である。この図に示すように、端末内部情報は、映り込み対象の座標、対象範囲、形状、色情報、輝度情報などを含むテーブル形式となっている。端末内部情報蓄積部１０は、端末内部情報を蓄積するためのアプリケーションを含むが、記憶装置を含む必要はない。なお、記憶装置を含む場合は、その記憶装置として、携帯端末装置１に差し替え可能な記録媒体（例えばメモリカード）が好適である。差し替え可能な記録媒体には、コンパクトフラッシュ（登録商標）、スマートメディア、ＳＤ（登録商標）メモリカード及びメモリースティックなどがある。勿論、内蔵メモリ又は内蔵ハードディスクを設けてもよい。この場合、この内蔵メモリ又は内蔵ハードディスクに端末内部情報を記録するとよい。
【００３１】
画質補正情報処理部１１は、外光情報処理部４から外光情報を取得し、また色覚障害情報処理部８から色覚障害情報を取得し、また映り込み情報処理部９から自己発光情報及び端末形状情報を取得する。そして、取得した各種情報から携帯端末装置１の液晶画面の映り込み状態を解析して映り込み情報を生成し、更に映り込み情報から補正情報を生成する。画質補正情報処理部１１は、補正情報の生成においては、映り込みパターン情報蓄積部１２から映り込みパターン情報を取得し、映り込み情報が映り込みパターン情報と一致もしくは類似した場合には、該当の画質補正情報を補正情報として使用する。映り込みパターン情報は、例えば携帯端末装置１の工場出荷時に携帯端末装置１に設定される。もしくは、ユーザ入力により新規登録、追加登録、変更してもよい。
【００３２】
映り込みパターン情報蓄積部１２は、様々な映り込みによる補正パターン情報と各補正パターンに対応する画質補正情報を蓄積する。映り込みパターン情報蓄積部１２は、映り込みパターン情報及び画質補正情報を蓄積するためのアプリケーションを含むが、内蔵記憶装置を含む必要はない。なお、記憶装置を含む場合は、その記憶装置として、携帯端末装置１に差し替え可能な記録媒体（例えばメモリカード）が好適である。差し替え可能な記録媒体には、コンパクトフラッシュ（登録商標）、スマートメディア、ＳＤ（登録商標）メモリカード及びメモリースティックなどがある。勿論、映り込みパターン情報蓄積部１２は、記録装置を含んでもよい。例えば、携帯端末装置１が記憶装置として、内蔵メモリ又は内蔵ハードディスクを有する場合、この内蔵メモリ又は内蔵ハードディスクに所定の映り込みによる補正パターン情報及び画質補正情報を記録することができる。
【００３３】
表示制御部１３は、画質補正情報処理部１１から入力される補正情報によって、表示部１４に表示する画像を補正する。表示部１４は、ＬＣＤや有機ＥＬ等の表示器などで実現され、平面状表示領域を有する。なお、表示部１４は、ユーザが手動で折りたたみや回転させてもよいし、キー操作やボタンにより、所定の開閉角度や回転位置になるような機構を備えてもよい。
【００３４】
図３は、携帯端末装置１の液晶画面に反射光による映り込みが発生し、画質補正を適用した場合の状態を示す模式図である。図３の（ａ）は補正適用前の状態であり、矢印Ａで示す部分に、自己発光の反射光として額縁発光部分、キーパッドのキー発光部分が液晶画面に映り込んでいる。図３の（ｂ）は補正適用後の状態であり、映り込みが無くなっている。
【００３５】
図４は、本実施の形態の携帯端末装置１における画質補正処理の一例を示すフローチャートである。図４において、携帯端末装置１が起動され画面表示が開始されると、画質補正処理がスタートする。そして、ステップＳ１において、画質補正フラグがオンかどうかを判定する。画質補正フラグがオンであればステップＳ２に進み、画質補正フラグがオフであれば、画像補正処理を終了する。画像補整フラグがオンであってステップＳ２に進むと、色覚情報が設定済みかどうかを判定する。色覚情報が設定済みであればステップＳ３に進み、未設定であればステップＳ９に進む。色覚情報が未設定でステップＳ９に進むと、表示部１４に色覚情報設定入力を促す画面表示を行う。ユーザがこの表示を見ることで、操作部５、マイク６、カメラ７を使用して、手動操作もしくは自動操作で色覚情報を得るための情報を入力する。入力した情報は色覚障害情報処理部８で処理されて色覚障害情報として画質補正情報処理部１１に入力される。
【００３６】
次いで、ステップＳ３に進むと、外光センサ制御部３を通じて外光センサ２より外光情報を取得する。外光情報処理部４は、外光センサ制御部３を通じて一定間隔で外光情報を取得し、画質補正に有効な外光情報の取捨選択を行い、選択した外光情報を画質補正情報処理部１１に入力する。次いで、ステップＳ４では、映り込み情報処理部９を通じて、端末内部情報蓄積部１０より端末内部情報を一定間隔で取得する。取得した端末内部情報を解析した上で画質補正に有効な自己発光情報と端末形状情報を生成し、それらの情報を画質補正情報処理部１１に入力する。
【００３７】
次に、ステップＳ５では、画質補正情報処理部１１において、入力された外光情報、自己発光情報、端末形状情報より、携帯端末装置１の液晶画面への映り込み状態を解析し、映り込み情報を生成する。そして、ステップＳ６では、生成した映り込み情報から補正情報を生成する。補正情報の生成においては、高速化を図るために映り込みパターン情報蓄積部１２より、類似パターンを検索して映り込み情報を取得してもよい。更に、映り込み情報を生成した場合、映り込みパターン情報蓄積部１２に新規登録、追加登録もしくは変更を行ってもよい。
【００３８】
次いで、ステップＳ７では、画質補正情報取得部１１において、取得した色覚障害情報より、色覚障害補正の必要があるかどうかを判断し、必要であればステップＳ１０に進み、必要がなければステップＳ８に進む。色覚障害補正の必要があるとしてステップＳ１０に進むと、ステップＳ６で生成した補正情報に加えて、視覚障害者の障害状況（「視力障害」「視野障害」「色覚障害」の要素）によって、視覚障害者向けの補正情報の生成を行う。例えば、第一色覚異常の場合、緑と赤の区別がつかない。そこで、緑地の部分に、赤色が移り込んでいる場合には映り込み部分色を青系の色に変更する。青〜黄方向の弁別能力は問題ないため変更しない、といったような細やかな障害者向けの対応が可能となる。
【００３９】
ここで、図５に、ステップＳ１０で色覚障害不可視箇所補正を行う処理手順を例示する。色覚障害情報より第一色覚異常（パターンＡ）に該当する場合には、映り込みパターン情報蓄積部１２に問い合わせを行う。色覚障害不可視箇所補正パターンテーブルより該当の補正色表（Ｃ１１１０Ａ．ｌｓｔ）の取得を行う。ステップＳ６で生成した補正情報より、取得した第一色覚異常（パターンＡ）補正色表から該当する映り込み色を検索し、補正可否を判断した上で、必要であれば更に色覚障害者向けの補正情報を生成する。
【００４０】
図４に戻り、ステップＳ８では、表示制御部１３において、画質補正情報処理部１１から補正情報を取得し、表示部１４に表示させる補正画像の生成及び表示制御を行う。ステップＳ１１にて、表示部１４において、表示制御部１３から入力された補正画像及び制御情報に従い補正画像の描画を行う。なお、図４に示すフローチャートでは、ステップＳ３、Ｓ４、Ｓ５、Ｓ６の順に各工程を行っているが、ステップＳ３、Ｓ４、Ｓ５、Ｓ６を行う順序はこれに限らず、いかなる順序で行ってもよい。
【００４１】
以上説明したように、本実施の形態の携帯端末装置１は、外光補正に加えて、端末内部情報から解析された映り込み情報による補正及び色覚障害者向けの画質補正を行うことで、従来の画像補正技術よりも端末の形状やユーザを意識した上での緻密な補正を可能とし、ユーザに適切な画像を提示することが可能となる。
【産業上の利用可能性】
【００４２】
本発明は、従来の画像補正技術よりも端末の形状やユーザを意識した上での緻密な補正を可能とし、ユーザに適切な画像を提示することができるといった効果を有し、携帯電話、ＰＨＳ、ＰＤＡ、ノートパソコン、携帯ゲーム機器などの様々な端末への適用が可能である。
【図面の簡単な説明】
【００４３】
【図１】本発明の一実施の形態に係る携帯端末装置の概略構成を示すブロック図
【図２】上記実施の形態の携帯端末装置の端末内部情報の一例を示す図
【図３】上記実施の形態の携帯端末装置における画質補正の一例を示す図
【図４】上記実施の形態の携帯端末装置の画質補正処理の一例を説明するためのフローチャート
【図５】色覚障害不可視箇所補正パターンテーブルの一例を示す図
【符号の説明】
【００４４】
１  携帯端末装置
２  外光センサ
３  外光センサ制御部
４  外光情報処理部
５  操作部
６  マイク
７  カメラ
８  色覚障害情報処理部
９  映り込み情報処理部
１０  端末内部情報蓄積部
１１  画質補正情報処理部
１２  映り込みパターン情報蓄積部
１３  表示制御部
１４  表示部
【図１】
2010004462.tif 000003
【図２】
2010004462.tif 000004
【図３】
2010004462.tif 000005
【図４】
2010004462.tif 000006
【図５】
2010004462.tif 000007